(57)【要約】【課題】ケーブルを下方から配線カバーに挿通する作業が必要なく、かつ、作業時の配線口と配線カバー内のスペースを十分に確保できる構造とすることで、ケーブルを配線カバーを通して筐体内に引き込む際の作業性を向上させることができる電気機器収納用箱を提供すること。【解決手段】筐体１内の内部機器に接続されるケーブルを挿通する配線口５が形成された底板３と、底板３に取付けられ、配線口５を被覆するとともにケーブルを挿通する配線カバー８とを備えた電気機器収納用箱であって、底板３を分割構造として、この底板３を構成する分割板４ａ、４ｂの少なくとも何れかの端部に形成した切欠部により配線口５を構成するとともに、配線カバー８を各分割板４ａ、４ｂとともに分割される分割構造として、この配線カバー８を構成する各分割カバー９ａ、９ｂを分割及び結合自在とする結合部１２を形成した。【選択図】図２
2016096282.tif 000002
【特許請求の範囲】
【請求項１】
筐体内の内部機器に接続されるケーブルを挿通する配線口が形成された底板と、
該底板に取付けられ、前記配線口を被覆するとともに前記ケーブルを挿通する配線カバーとを備えた電気機器収納用箱であって、
前記底板を分割構造として、
この底板を構成する分割板の少なくとも何れかの端部に形成した切欠部により前記配線口を構成するとともに、
前記配線カバーを前記の各分割板とともに分割される分割構造として、
この配線カバーを構成する各分割カバーを分割及び結合自在とする結合部を形成したことを特徴とする電気機器収納用箱。
【発明の詳細な説明】
【技術分野】
【０００１】
本発明は、電気機器収納用箱に関するものである。
【背景技術】
【０００２】
データセンター等のサーバルームに設置される電気機器収納用箱は、その下面を被覆するための底板を備えている。また特許文献１に示すように、底板の中央部付近には、床下より引き出され筐体内に配置された内部機器に接続される電源ケーブルや通信ケーブルを挿通する配線口が形成されている。そして、筐体内の空調効率を高めるため、もしくは防塵のために、前記配線口を覆う配線カバーが底板に取付けられている。
【０００３】
内部機器に接続するケーブルを配線口を通して筐体内に引き込む際に、ケーブルを下方から配線カバーに挿通する作業が必要であり、手間がかかっていた。特に、内部機器の増設や入れ替えによって追加ケーブルを筐体内に引き込む際、既に配線されているケーブルにより配線口と配線カバー内が狭くなり、スムーズに作業を行うことができなかった。
【先行技術文献】
【特許文献】
【０００４】
【特許文献１】特開平６−１９６８９１号公報
【発明の概要】
【発明が解決しようとする課題】
【０００５】
本発明の目的は前記した従来の問題点を解決し、ケーブルを下方から配線カバーに挿通する作業が必要なく、かつ、作業時の配線口と配線カバー内のスペースを十分に確保できる構造とすることで、ケーブルを配線カバーを通して筐体内に引き込む際の作業性を向上させることができる電気機器収納用箱を提供することである。
【課題を解決するための手段】
【０００６】
上記課題を解決するためになされた本発明は、筐体内の内部機器に接続されるケーブルを挿通する配線口が形成された底板と、該底板に取付けられ、前記配線口を被覆するとともに前記ケーブルを挿通する配線カバーとを備えた電気機器収納用箱であって、前記底板を分割構造として、この底板を構成する分割板の少なくとも何れかの端部に形成した切欠部により前記配線口を構成するとともに、前記配線カバーを前記の各分割板とともに分割される分割構造として、この配線カバーを構成する各分割カバーを分割及び結合自在とする結合部を形成したことを特徴とするものである。
【発明の効果】
【０００７】
本発明に係る電気機器収納用箱は、底板を分割構造として、この底板を構成する分割板の少なくとも何れかの端部に形成した切欠部により配線口を構成するとともに、配線カバーを各分割板とともに分割される分割構造として、この配線カバーを構成する各分割カバーを分割及び結合自在とする結合部を形成するものとした。これにより、分割カバーが取付けられた分割板毎に取外しを行うことで、配線カバーを配線口と共に分割できるため、配線カバーの側面を開くことができ、ケーブルを下方から配線口と配線カバーに挿通する作業が必要なく、作業時の配線口と配線カバー内のスペースを十分に確保できるので、配線の作業性を向上させることができる。
【図面の簡単な説明】
【０００８】
【図１】第１の実施形態を示す全体斜視図である。
【図２】第１の実施形態の要部を示す斜視図である。
【図３】図２の一方の底板を取外した状態を示す斜視図である。
【図４】第２の実施形態の要部を示す斜視図である。
【図５】図４の一方の底板を取外した状態を示す斜視図である。
【発明を実施するための形態】
【０００９】
以下に本発明の好ましい第１の実施形態を示す。なお、前後、左右とは図１に示す方向を各々指すものとする。
図１に示す電気機器収納用箱は、筐体１と、その内部に収納された図示しない内部機器とを備えている。内部機器は、筐体１内部の略中央部に設けられたマウントレール２に設置される。また、筐体１の下面を被覆する底板３が設けられている。この底板３は、底部フレーム７に対して固定ネジによりネジ止めされることで、着脱自在に取付けられている。
【００１０】
図２に示すように、底板３には、床下より引き出され、内部機器に接続されるケーブルを筐体１内に引き込む配線口５が形成されている。この配線口５は、図３のように底板３の略中央部に形成した切欠部６からなるものである。また、底板３は前後に２分割されるものとし、分割された分割板４ａ、４ｂの双方の端部に切欠部６を形成するものとして、両切欠部６、６を組み合わせることにより、配線口５を構成するものとした。なお、底板３は左右に２分割されるものであっても良い。
【００１１】
図２のように、配線口５を被覆するとともにケーブルを筐体１内に引き込む配線カバー８が、底板３に一体に取付けられている。この配線カバー８は布製であり、その一端はラッチやネジ等の取付部１０により、配線口５の周縁部に取付けられている。そして、その他端はケーブルを引き込んだ上で、締付具１１により開口が絞られている。本実施形態においては、締付具１１は面ファスナーを備えるバンドとした。これにより、ケーブルと配線カバー８との間から冷気が筐体１外へと漏出することを防ぎ、筐体１内の空調効率を高めることができる。また、塵や異物が筐体１内に侵入することを防ぐこともできる。なお、締付具１１は配線カバー８の開口を絞ることができるものであれば良く、例えば紐を用いて開口を縛るものとしても良い。
【００１２】
図３に示すように、配線カバー８は分割板４ａ、４ｂとともに２分割される分割構造とし、２分割された分割カバー９ａ、９ｂを分割及び結合自在とする結合部１２を形成するものとした。本実施形態においては、この結合部１２は面ファスナーにより構成して、分割カバー９ａ、９ｂの分割及び結合を自在に行えるものとした。なお、結合部１２は、例えば線ファスナーやボタン等であっても良いものである。
【００１３】
以上のような構成により、筐体１内の内部機器の増設作業や入れ替え作業を行う際には、締付具１１である面ファスナーを備えるバンドを緩め、結合部１２の面ファスナーによる結合を解除して分割カバー９ａ、９ｂを分割することにより、配線カバー８が分割板４ａ、４ｂとともに２分割された状態とする。そして、分割カバー９ａ、９ｂが取付けられた分割板４ａ、４ｂ毎に取外しを行うことにより、配線カバー８を備えた底板３を取外すことが可能となり、配線カバー８の側面を開くことができる。これにより、内部機器に接続するケーブルを床下から筐体１内に引き込む際に、一方の分割板（４ａまたは４ｂ）を取り外して筐体１の下面の開口からケーブルを筐体１内に引き込み、底板３の取付け時に、ケーブルを配線カバー８の側方向から切欠部６内に位置させることで配線口５と配線カバー８を通して筐体1内に引き込むことができるので、ケーブルを下方から配線口５と配線カバー８に挿通する作業が不要となり、作業性を向上させることができる。また、内部機器の増設や入れ替えによって追加ケーブルを筐体１内に引き込む際、既に配線されているケーブルを外すことなく、一方の分割板（４ａまたは４ｂ）、または双方の分割板（４ａ及び４ｂ）を取り外して筐体１の下面を開口させることができ、配線口５と配線カバー８内のスペースを十分に確保することができる。
【００１４】
図４及び図５には、第２の実施形態を示す。この実施形態においては、図５のように前側の分割板４ａの端部にのみ切欠部６を形成するものとし、この切欠部６を配線口５とした。また、配線カバー８は第１の実施形態と同様に、分割板４ａ、４ｂとともに、分割カバー９ａ、９ｂの２つに分割されるものとした。このような構成によっても、分割カバー９ａ、９ｂが取付けられた分割板４ａ、４ｂ毎に取外しを行うことで、配線カバー８を備えた底板３の取外しが可能となる。
【符号の説明】
【００１５】
１  筐体
２  マウントレール
３  底板
４  分割板
５  配線口
６  切欠部
７  底部フレーム
８  配線カバー
９  分割カバー
１０  取付部
１１  締付具
１２  結合部
【図１】
2016096282.tif 000003
【図２】
2016096282.tif 000004
【図３】
2016096282.tif 000005
【図４】
2016096282.tif 000006
【図５】
2016096282.tif 000007